(57)【要約】【課題】切断された封印部材による電子部品等への悪影響を防止することのできる遊技機を提供することを目的とする。【解決手段】  本発明に係る遊技機は、遊技機本体の一部を構成する本体枠３ａと、本体枠３ａにおける背面側に配置され、内部に所定の基板（例えば、主制御基板１３０）が搭載された基板ケース（例えば、主制御基板ケース１００）と、基板ケースを封印する封印部材７０とを備え、基板ケースは、封印部材７０を挿入する挿入孔１２０ａを有し、基板ケースの内部には、挿入孔１２０ａに挿入され切断された切断された封印部材７０の封印ヘッド７０ｈを保持する封印ヘッドガード８０が搭載されるようになっている。【選択図】      図６
2006204829.tif 000002
【特許請求の範囲】
【請求項１】
遊技機本体の一部を構成する本体枠と、
前記本体枠における背面側に配置され、内部に所定の基板が搭載された基板ケースと、
前記基板ケースを封印する封印部材とを備え、
前記基板ケースは、前記封印部材を挿入する挿入孔を有し、
前記基板ケースの内部には、前記挿入孔に挿入され切断された前記封印部材の先端部を保持する保持部材が搭載されている、
ことを特徴とする遊技機。
【請求項２】
前記基板ケースは、前記保持部材と一体成形されていることを特徴とする請求項１記載の遊技機。
【請求項３】
前記基板ケースには、前記保持部材を係止する係止部が設けられ、
前記所定の基板は、前記保持部材が前記係止部から係止解除できないように配置されていることを特徴とする請求項１または２に記載の遊技機。
【請求項４】
前記基板ケースは、前記所定の基板の実装面を覆う第１の基板ケースと、
所定の基板を保持する第２の基板ケースとを含み、
前記挿入孔は、前記第２の基板ケースに設けられることを特徴とする請求項１〜３の何れか一項に記載の遊技機。
【請求項５】
前記所定の基板は、遊技の進行に関する制御を行う主制御基板または遊技媒体の払出に関する制御を行う払出制御基板であることを特徴とする請求項１〜４の何れか一項に記載の遊技機。
【請求項６】
前記封印部材は前記先端部を複数有し、
前記保持部材は、前記封印部材における前記複数の先端部を個別に保持するように区画壁を備えることを特徴とする請求項１〜５の何れか一項に記載の遊技機。
【発明の詳細な説明】
【技術分野】
【０００１】
本発明は、遊技機に関し、特に遊技機内部に配置された基板ケースを封印することにより当該基板ケース内のゲーム用電子回路基板の改ざんに対する保安性を向上させたパチンコ遊技機やスロットマシン等の遊技機に適用して有効な技術に関するものである。
【背景技術】
【０００２】
従来より、遊技機内部（本体枠背面）の基板ケースに内蔵されているＲＯＭ等が第三者によって不正交換される虞があった。
【０００３】
上記不正交換などによりゲーム用電子回路基板が改ざんされる虞を解消するためには、その事実を早期に発見して事後対策を講じることがより実用的であるとの見解に基づき、上記基板ケースを封印する封印部材を備えた遊技機が考え出されている（例えば、特許文献１）。
【０００４】
上記封印部材の封印ヘッドは、矢じり状を呈しており、その先端部には、相互に内側に弾性変形可能な一対の係止片が形成されている。当該封印ヘッドの先端部は、基板ケースの連結穴に抜け止めして挿入されている。
【０００５】
そのため、基板ケースを開放するために上記封印部材による封印を解こうとすると、上記封印部材が引き千切れてしまい、基板ケースを開放した痕跡が残ってしまう。
【０００６】
これにより、特許文献１の発明は、ゲーム用電子回路基板が改ざんされたか否かを的確に判別することができるようになっていた。
【特許文献１】特開２００１−６２１１４号公報
【発明の開示】
【発明が解決しようとする課題】
【０００７】
上記従来技術においては、ゲーム用電子回路基板が改ざんされたか否かを的確に判別することができるようになってはいるものの、引き千切られた（切断された）封印部材の先端部等が、基板ケースの内側に入り込んで当該基板ケース内の電子回路基板等に接触する可能性もあり、これが誤作動や故障の原因となってしまう虞があった。
【０００８】
本発明は、切断された封印部材による電子部品等への悪影響を防止することのできる遊技機を提供することを目的とする。
【課題を解決するための手段】
【０００９】
上記課題を解決するため、請求項１に記載の本発明の遊技機は、遊技機本体の一部を構成する本体枠（本体枠３ａ）と、本体枠における背面側に配置され、内部に所定の基板（例えば、主制御基板１３０）が搭載された基板ケース（例えば、主制御基板ケース１００）と、基板ケースを封印する封印部材（封印部材７０）とを備え、基板ケースは、封印部材を挿入する挿入孔（挿入孔１２０ａ）を有し、基板ケースの内部には、挿入孔に挿入され切断された封印部材の先端部（封印ヘッド７０ｈ）を保持する保持部材（封印ヘッドガード８０）が搭載されていることを特徴とする。
【００１０】
これにより、切断された封印部材の先端部が保持部材により保持されるため、当該封印部材の先端部が基板ケース内へ入り込むことを防止することができる。そのため、切断された封印部材の先端部等と所定の基板等との接触による誤作動や故障等の発生を防止、つまり、切断された封印部材による電子部品等への悪影響を防止することができる。
【００１１】
請求項２に記載の本発明は、請求項１に記載の発明の構成に加えて、基板ケースは、保持部材と一体成形されていることを特徴とする。
【００１２】
これにより、保持部材が外れてしまうことを回避することができ、切断された封印部材の先端部等が基板ケース内に入り込むことを防ぐことができる。また、保持部材が一体成形されることにより保持部材の組立コストを節約することもできる。
【００１３】
請求項３に記載の本発明は、請求項１または２に記載の発明の構成に加えて、基板ケースには、保持部材を係止する係止部（係止部１２０ｂ，１２０ｃ）が設けられ、所定の基板は、保持部材が係止部から係止解除できないように配置されていることを特徴とする。
【００１４】
これにより、保持部材が外れてしまうことをより確実に回避することができ、切断された封印部材の先端部等が基板ケース内に入り込むことをより確実に防ぐことができる。
【００１５】
請求項４に記載の本発明は、請求項１〜３の何れか一項に記載の発明の構成に加えて、基板ケースは、所定の基板の実装面を覆う第１の基板ケース（上蓋１１０）と、所定の基板を保持する第２の基板ケース（ケース本体１２０）とを含み、挿入孔（挿入孔１２０ａ）は、第２の基板ケースに設けられることを特徴とする。
【００１６】
これにより、基板の非実装面に保持部材を配置できるので、保持部材の配置が容易となる。
【００１７】
請求項５に記載の本発明は、請求項１〜４の何れか一項に記載の発明の構成に加えて、所定の基板は、遊技の進行に関する制御を行う主制御基板または遊技媒体の払出に関する制御を行う払出制御基板であることを特徴とする。
【００１８】
このように、封印部材により封印された基板ケース内に主要な基板を搭載して保護しているので、改ざんに対する防御力をより効果的に高めることができ、遊技機の安全性をより確実に高めることができる。
【００１９】
請求項６に記載の本発明は、請求項１〜５の何れか一項に記載の発明の構成に加えて、封印部材は先端部を複数有し、保持部材は、封印部材における複数の先端部を個別に保持するように区画壁（区画壁８０ｂ）を備えることを特徴とする。
【００２０】
これにより、切断された封印部材の把握が容易となるため、封印が解かれた回数を容易に把握することができる。
【発明の効果】
【００２１】
本発明によれば以下の効果を奏することができる。
【００２２】
すなわち、本発明によれば、切断された封印部材の先端部が保持部材により保持されるため、当該封印部材の先端部が基板ケース内へ入り込むことを防止することができる。そのため、切断された封印部材の先端部等と所定の基板等との接触による誤作動や故障等の発生を防止、つまり、切断された封印部材による電子部品等への悪影響を防止することができる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態である遊技機を示す斜視図、図２は図１の遊技機の本体枠の背面側を示す説明図、図３は本実施の形態に係る主制御基板ケースの平面図、図４は本実施の形態に係る払出制御基板ケースの平面図、図５（ａ）は主制御基板ケースにおける上蓋の平面図、図５（ｂ）は主制御基板ケースにおけるケース本体の平面図、図６は本実施の形態に係る主制御基板ケースの分解説明図、図７はケース本体に搭載された主制御基板と上蓋とを示す説明図、図８はケース本体における挿入孔近傍の拡大斜視図、図９は図８における嵌め込み部に封印ヘッドガードが嵌め込まれた状態を示す拡大斜視図、図１０は本実施の形態に係る封印部材の斜視図、図１１は本実施の形態に係る封印部材の平面図、図１２は本実施の形態に係る主制御基板ケースの封印構造における封印部材の部分拡大斜視図、図１３は本実施の形態における封印ヘッドガードの斜視図、図１４は本実施の形態における封印ヘッドガードの裏面側を示す斜視図、図１５は図９に係る封印ヘッドガードの係合点をＢ方向から見た断面図、図１６（ａ）は図３に係る主制御基板ケースの内部をＡ方向から見た断面図、図１６（ｂ）は図１６（ａ）における封印ヘッドが切断された状態を示す断面図、図１７は主制御基板の裏面側に取り付けられた封印ヘッドガードを示す斜視図である。
【００２５】
図１に示すように、パチンコ遊技機（遊技機）１は、遊技盤２ａが装着された本体枠３ａがヒンジを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２６】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。
【００２７】
上述したような遊技盤２ａの下方には、図１に示すように、皿ユニット５が配置されている。皿ユニット５の上部に、払い出された遊技球および遊技領域に打ち込まれる遊技球が貯留される上皿５ａが配置されているとともに、皿ユニット５の下部に、払い出しにより上皿５ａからオーバーフローした遊技球が貯留される下皿５ｂが配置されている。また、上皿５ａの所定の位置に、遊技終了時などにおいて上皿５ａに貯留された遊技球を下皿５ｂに移動させて取り出す場合に操作されるシャッタレバー１０が設けられている。
【００２８】
皿ユニット５の右側には、レール６を介して遊技盤２ａの遊技領域へ遊技球を打ち込む際に回動操作されるハンドル７が設けられている。ハンドル７には遊技球の発射を停止するストップボタン（図示せず）が設けられている。
【００２９】
なお、ガラス扉４の上部の左右には、スピーカ８ａ，８ｂがそれぞれ配置されている。
【００３０】
次に、図２を用いて本体枠３ａの背面側の構成について説明する。
【００３１】
図２は、本体枠３ａの背面側を示す説明図である。
【００３２】
なお、図２において、向かって右側がヒンジ側（ヒンジを介してベース枠３ｂに回動可能に取り付けられている側。すなわち、回動支点として支持される側。）であり、左側が開閉端側である。そのため、遊技機内部が開放される場合は、開閉端側から開放される。
【００３３】
また、同図に示すように、本体枠３ａの背面には、遊技機１の動作を実現するためのさまざまな電子部品や電子部品等を実装した基板等が搭載されている。
【００３４】
例えば、本体枠３ａの背面中央には、予め設定されたプログラムに従ってパチンコ機１の遊技動作を行う主制御基板１３０（図６および図７参照）を搭載した主制御基板ケース１００が、本体枠３ａの背面の中央よりやや上右側にはＡＣ電源の取り込みや基板間の信号の中継を行う枠中継基板１８０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置（図示せず）を駆動制御する払出制御基板（図示せず）を搭載した払出制御基板ケース１７０がそれぞれ搭載されている。なお、本体枠３ａの背面の上部には遊技球が貯留される貯留タンク４００が配置されている。さらに、本体枠３ａの背面の各所には、電子部品を搭載した基板間を電気的に接続する配線が伸びている。
【００３５】
そして、本体枠３ａの背面の中央よりやや上左側、すなわち、主制御基板ケース１００の上方には、制御基板ケース５０が搭載されている。制御基板ケース５０には、演出制御基板（図示せず）が格納されている。
【００３６】
なお、本実施の形態においては、上記演出制御基板により、液晶ユニット４０の画像表示制御や、遊技機１の各所に配置されているランプ・ＬＥＤ（図示せず）等の発光表示制御、スピーカ８ａ，８ｂからの音出力制御が行われる。
【００３７】
但し、これら主制御基板ケース１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また演出制御基板を、主制御基板ケース１００内に含めるなど、基板としての構成には様々な態様が考えられる。
【００３８】
次に、図３，図５〜図７を参照して主制御基板ケース１００について説明する。
【００３９】
なお、図４に示す払出制御基板ケース１７０は、主制御基板ケース１００と同様の構成となっているため説明を省略する。
【００４０】
上記主制御基板ケース１００は、横長の略長方形を呈しており、主制御基板１３０の実装面を覆う上蓋（第１の基板ケース）１１０と主制御基板１３０を裏面側から保持するケース本体（第２の基板ケース）１２０とを備えている（図３，図５，図６，図７参照）。
【００４１】
また、上記上蓋１１０には、ケース本体１２０と係合する係合爪１１０ｄ（図６および図７参照）が形成されており、この係合爪１１０ｄにより上蓋１１０とケース本体１２０とが係合されるようになっている。
【００４２】
主制御基板ケース１００に搭載されている主制御基板１３０には、総括的な演算処理を行うＣＰＵ等を搭載したＣＰＵソケット１３０ｂ、および他の基板等に電気的に接続するためのコネクタ部１３０ａ等が備えられている（図６および図７参照）。
【００４３】
なお、ＣＰＵ等を搭載した上記ＣＰＵソケット１３０ｂは、主制御基板１３０に着脱自在に装着され、これを交換することで、遊技機１の遊技動作の特性を変更できるようになっている。
【００４４】
また、上蓋１１０には、主制御基板１３０に搭載されたコネクタ部１３０ａの位置に合わせてコネクタ孔１１０ｃが形成されている（図５（ａ）参照）。これにより、図３に示すように主制御基板１３０に搭載されているコネクタ部１３０ａが露出するようになっている。
【００４５】
そして、上記上蓋１１０の周縁部には略長方形の封印部材取付部１１０ｅが区画形成され（図３，図５および図６参照）、この封印部材取付部１１０ｅに封印部材（４Ｐロックファスナー）７０（後述）が取り付けられるようになっている。
【００４６】
具体的には、上記封印部材取付部１１０ｅには、封印部材７０の本体部７０ｅの一部である嵌合ヘッド７０ｎと嵌合するための２つの嵌合孔１１０ａと、封印部材７０をネジ止めするためのネジ孔１１０ｂとが形成されている。この嵌合孔１１０ａおよびネジ孔１１０ｂにより、封印部材７０を取り付けることが可能となっている。
【００４７】
また、主制御基板ケース１００のケース本体１２０において、上蓋１１０に取り付けられた封印部材７０の封印部７０ａ，７０ｂ，７０ｃ，７０ｄ（図３，図７および図１３参照）を、主制御基板ケース方向へ９０度屈曲させた場合における封印ヘッド７０ｈ（後述）の正面位置には、当該封印ヘッド７０ｈの挿入が可能な挿入孔１２０ａが設けられている（図６，図７および図１３参照）。
【００４８】
また、この挿入孔１２０ａの近傍には、後述する封印ヘッドガード（保持部材）８０を嵌め込み可能に区画された嵌め込み部１２０ｄが形成されている。そして、この嵌め込み部１２０ｄの内壁には封印ヘッドガード８０を係止するための係止部１２０ｂ，１２０ｃが形成されている（図５（ｂ）、図８および図９参照）。
【００４９】
後述する封印ヘッドガード８０は、この嵌め込み部１２０ｄに嵌め込まれて係止部１２０ｂ，１２０ｃに係止されることにより、高さ方向、長手方向および短手方向への移動が規制されるようになっている（図９参照）。
【００５０】
封印部材７０は、可撓性のある合成樹脂、好ましくは結晶性の熱可塑性樹脂から成り、例えば、ポリプロピレンにより一体に成形されている。この封印部材７０は、帯状に延びる本体部７０ｅと、この本体部７０ｅから横方向に延出した第１封印部７０ａ、第２封印部７０ｂ、第３封印部７０ｃ、第４封印部７０ｄとから構成されている（図１０および図１１参照）。
【００５１】
各封印部７０ａ，７０ｂ，７０ｃ，７０ｄは、上蓋１１０とケース本体１２０とを緩みなく連結できる所定の長さに設定されている。
【００５２】
また、各封印部７０ａ，７０ｂ，７０ｃ，７０ｄには、屈曲する屈曲部７０ｍ（図１０および図１１）が形成されており、本実施の形態において屈曲部７０ｍは、主制御基板ケース１００の方向に向かって屈曲することが可能となっている（図６，図７および図１６（ａ）参照）。なお、封印部材７０の平面図である図１１においては、第１封印部７０ａの屈曲部７０ｍが９０度屈曲した例を示している。
【００５３】
また、各封印部７０ａ，７０ｂ，７０ｃ，７０ｄの各先端部には、封印ヘッド７０ｈが一体に突設されている。
【００５４】
上記各封印ヘッド７０ｈは、図１２に拡大して示すような矢じり状を呈しており、その先端部には、相互に内側に弾性変形可能な一対の係止片７０ｉ，７０ｉが形成されている。また、その基端部には半円状のストッパ７０ｊが形成されている。そして、このストッパ７０ｊは、先端に形成された円状の開口部７０ｋに一対の引き千切り部７０ｌ，７０ｌを介して引き千切り可能に連結されている。
【００５５】
すなわち、引き千切り可能な各封印ヘッド７０ｈは、ケース本体１２０の挿入孔１２０ａに弾性変形して挿入され、且つ挿入孔１２０ａから引抜き不能に弾性復帰して抜け止めされるようになっている（図１６参照）。
【００５６】
また、本体部７０ｅの略中央部分には、ネジ孔７０ｆ（図１０および図１１参照）が形成されている。このネジ孔７０ｆを介して上蓋１１０のネジ孔１１０ｂにネジを取り付けることが可能であり、これにより本体部７０ｅを上蓋１１０にネジ止めすることができる。
【００５７】
さらに、本体部７０ｅにおける上記ネジ孔７０ｆの両隣には、嵌合孔１１０ａに嵌合される上述の嵌合ヘッド７０ｎが主制御基板ケース１００に向けて一体に突設されている（図１０参照）。
【００５８】
この嵌合ヘッド７０ｎは、矢じり状を呈しており、その先端部には、相互に内側に弾性変形可能な一対の係止片が形成されている。各嵌合ヘッド７０ｎは、上蓋１１０の嵌合孔１１０ａに弾性変形して挿入（嵌合）され、且つ嵌合孔１１０ａから引抜き不能に弾性復帰して抜け止めされるようになっている（図１６参照）。
【００５９】
本実施の形態の封印部材７０はこのような構造になっているため、封印部材７０の嵌合ヘッド７０ｎを上蓋１１０の嵌合孔１１０ａに挿入（嵌合）し、且つ、封印ヘッド７０ｈをケース本体１２０の挿入孔１２０ａに挿入することにより主制御基板ケース１００を封印することができる（図１６（ａ）参照）。
【００６０】
次に、図１３および図１４を用いて本発明の要部である封印ヘッドガード（保持部材）８０について説明する。
【００６１】
図１３および図１４に示すように、封印ヘッドガード８０は略長方形の形状を呈しており、両端には、ケース本体１２０の係止部１２０ｂに係止されるための係止爪８０ａが設けられている。また、封印ヘッドガード８０の背面側の一辺には、係止部１２０ｃに係止されるための２つの係止爪８０ｃが設けられている。
【００６２】
この係止爪８０ｃは、例えば図１５に示すようにケース本体１２０の嵌め込み部１２０ｄの内壁に陥没形成された係止部１２０ｃに引っ掛かるようにして係止される。なお、係止爪８０ａに関しても、同様に陥没形成された係止部１２０ｂに係止される。これにより封印ヘッドガード８０の移動が規制される。
【００６３】
また、ケース本体１２０に搭載された主制御基板１３０は、封印ヘッドガード８０が上記係止部１２０ｂ，１２０ｃから係止解除できないように配置されており、これにより、嵌め込み部１２０ｄから封印ヘッドガード８０が離脱することを阻止するようになっている（図１６（ａ），（ｂ）参照）。
【００６４】
例えば、封印ヘッドガード８０の上端部から主制御基板１３０の裏面までの隙間をＸ（ｍｍ）、嵌め込み部１２０ｄの内壁の高さをＹ（ｍｍ）、とすると、ＸがＹよりも小さければ、封印ヘッドガード８０が嵌め込み部１２０ｄから抜け出ることはない。そして、本実施の形態において、ＸはＹよりも小さくしているため、たとえ、係止爪８０ａ，８０ｃによる係止が外れたとしても封印ヘッドガード８０が嵌め込み部１２０ｄから離脱することはない。
【００６５】
また、係止爪８０ｃの高さをＹ２（ｍｍ）とし、嵌め込み部１２０ｄの内壁の上端面から係止部１２０ｃの上端面の高さをＹ１とする。上記Ｘの値が、Ｙ１とＹ２との合算よりも小さくなるようにすることにより、封印ヘッドガード（保持部材）８０を係止解除できないようになっている。
【００６６】
また、封印ヘッドガード８０が嵌め込み部１２０ｄに嵌め込まれることにより、挿入孔１２０ａの内側は封印ヘッドガード８０に覆われるようになる。その結果、挿入孔１２０ａに挿入された封印ヘッド７０ｈもこの封印ヘッドガード８０により覆われて保持されるようになる（図１６参照）。
【００６７】
つまり、たとえ封印ヘッド７０ｈが切断された場合においても、当該封印ヘッド７０ｈが主制御基板ケース１００内に入り込むことを防ぐことができる（図１６（ｂ）参照）
【００６８】
なお、封印ヘッドガード８０には、内部の空間を区画する３つの区画壁８０ｂが設けられている（図１３および図１４参照）。
【００６９】
この区画壁８０ｂにより、封印ヘッドガード８０内の空間は４つに区画される。これら区画された空間に、それぞれ切断された封印ヘッド７０ｈが個別に保持されるようになっている。
【００７０】
例えば、図１４の図面右側から順に第１封印部７０ａの封印ヘッド７０ｈが保持される空間８０ｄ、第２封印部７０ｂの封印ヘッド７０ｈが保持される空間８０ｅ、第３封印部７０ｃの封印ヘッド７０ｈが保持される空間８０ｆ、第４封印部７０ｄの封印ヘッド７０ｈが保持される空間８０ｇがそれぞれ形成されている。
【００７１】
本発明はこのような構成となっているため、４つの封印部のうち、一の封印ヘッド７０ｈを挿入孔１２０ａに挿入して主制御基板ケース１００を封印することができる。たとえその封印が解かれて封印ヘッド７０ｈが切断されたとしても、他の封印部を利用して同様の封印ができるため、封印部の数だけ封印し直すことができる。
【００７２】
また、封印が解かれて切断された封印ヘッド７０ｈは、封印ヘッドガード８０により個別に保持されるため、切断された封印ヘッド７０ｈの数を把握し易くなり、封印が解かれた回数を把握することが容易となる。また、上述したように切断された封印ヘッド７０ｈは封印ヘッドガード８０により保持されるため、当該封印ヘッド７０ｈが主制御基板ケース１００内に入り込む虞もない。
【００７３】
以上、本発明の実施の形態を説明したが、これは本発明を具体的に例示したに過ぎず、特に本発明を限定するものではない。
【００７４】
本実施の形態において、封印ヘッドガード８０は、ケース本体１２０の係止部１２０ｂ，１２０ｃに係合されるようになっているが、これに限られず、例えば、図１７に示すように、主制御基板１３０の裏面周縁部に取り付けられるようになっていてもよい。
【００７５】
この場合、接着によって主制御基板１３０に取り付けられていてもよいし、ネジ等によってとりつけられていてもよい。また、主制御基板１３０と封印ヘッドガードとが一体的に成形されていてもよい。
【００７６】
また、当該封印ヘッドガード８０は、主制御基板１３０以外に、上蓋１１０に取り付けられていてもよいし、当該上蓋１１０もしくはケース本体１２０に一体的に成形されていてもよい。
【００７７】
また、本実施の形態の封印ヘッドガード８０は、主制御基板１３０を搭載した主制御基板ケース１００および払出制御基板を搭載した払出制御基板ケース１７０に搭載されていたが、本発明はこれに限定されず、他の基板ケースに搭載されて当該他の基板ケースを封印する封印部材７０の先端部（封印ヘッド）を保持するようになっていてもよい。
【００７８】
なお、本実施の形態において、区画壁８０ｂに区画される空間は４つであったが、これに限られず、３以下であってもよいし、５以上であってもよい。区画壁８０ｂの数を変更することにより、区分して保持することが可能な封印ヘッド７０ｈの数を調整することができる。
【００７９】
また、区画壁８０ｂは、封印ヘッドガード８０と一体成形されていてもよいし、別体にて形成されていてもよい。
【００８０】
以上説明したように、本実施の形態によれば、切断された封印部材７０の封印ヘッド７０ｈが封印ヘッドガード８０により保持されるため、当該封印部材７０の封印ヘッド７０ｈが基板ケース（例えば、主制御基板ケース１００や払出制御基板ケース１７０）内へ入り込むことを防止することができる。そのため、切断された封印部材７０の封印ヘッド７０ｈ等と所定の基板（例えば、主制御基板１３０や払出制御基板）等との接触による誤作動や故障等の発生を防止、つまり、切断された封印部材７０による電子部品等への悪影響を防止することができる。
【００８１】
また、本実施の形態によれば、基板ケース（例えば、主制御基板ケース１００や払出制御基板ケース１７０）または所定の基板（例えば、主制御基板１３０や払出制御基板）は、封印ヘッドガード８０と一体成形されるようになっているので、封印ヘッドガード８０が外れてしまうことを回避することができ、切断された封印部材７０の封印ヘッド７０ｈ等が基板ケース内に入り込むことを防ぐことができる。また、封印ヘッドガード８０が一体成形されることにより封印ヘッドガード８０の組立コストを節約することもできる。
【００８２】
さらに、本実施の形態によれば、封印ヘッドガード８０は、主制御基板ケース１００のケース本体１２０に形成された嵌め込み部１２０ｄに嵌め込まれ、所定の基板（例えば、主制御基板１３０）は、封印ヘッドガード８０が嵌め込み部１２０ｄから離脱することを阻止するようになっているので、封印ヘッドガード８０が外れてしまうことをより確実に回避することができ、切断された封印部材７０の封印ヘッド７０ｈ等が基板ケース内に入り込むことをより確実に防ぐことができる。
【００８３】
また、本実施の形態によれば、主制御基板ケース１００や払出制御基板ケース１７０は、嵌合孔１１０ａが形成されて所定の基板（例えば、主制御基板１３０）の実装面を覆う上蓋１１０と挿入孔１２０ａが設けられて搭載する基板を裏面側から保持するケース本体１２０とを含み、封印部材７０は、本体部７０ｅと本体部７０ｅから延出した封印ヘッド７０ｈとから形成されるとともに、本体部７０ｅの嵌合ヘッド７０ｎを上蓋１１０の嵌合孔１１０ａに嵌合させ、且つ封印ヘッド７０ｈをケース本体１２０の挿入孔１２０ａに挿入させることにより主制御基板ケース１００や払出制御基板ケース１７０を封印するようにしているので、基板ケースの封印をより確実に行うことができる。そのため、改ざんに対する防御力を高めることができ、遊技機の安全性を高めることができる。
【００８４】
また、本実施の形態によれば、封印部材７０により封印された基板ケース内に主要な基板（例えば、主制御基板１３０や払出制御基板）を搭載して保護しているので、改ざんに対する防御力をより効果的に高めることができ、遊技機の安全性をより確実に高めることができる。
【００８５】
また、本実施の形態によれば、封印部材７０の本体部７０ｅからは封印ヘッド７０ｈが複数延出し、封印ヘッドガード８０は、封印部材７０が切断されたときに封印部材７０の複数の封印ヘッド７０ｈを個別に保持するように区画されるようになっているため、切断された封印部材７０の把握が容易となり、封印が解かれた回数を容易に把握することができる。
【産業上の利用可能性】
【００８６】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【００８７】
【図１】本発明の一実施の形態である遊技機を示す斜視図である。
【図２】図１の遊技機の本体枠の背面側を示す説明図である。
【図３】本実施の形態に係る主制御基板ケースの平面図である。
【図４】本実施の形態に係る払出制御基板ケースの平面図である。
【図５】（ａ）は主制御基板ケースにおける上蓋の平面図、（ｂ）は主制御基板ケースにおけるケース本体の平面図である。
【図６】本実施の形態に係る主制御基板ケースの分解説明図である。
【図７】ケース本体に搭載された主制御基板と上蓋とを示す説明図である。
【図８】ケース本体における挿入孔近傍の拡大斜視図である。
【図９】図８における嵌め込み部に封印ヘッドガードが嵌め込まれた状態を示す拡大斜視図である。
【図１０】本実施の形態に係る封印部材の斜視図である。
【図１１】本実施の形態に係る封印部材の平面図である。
【図１２】本実施の形態に係る主制御基板ケースの封印構造における封印部材の部分拡大斜視図である。
【図１３】本実施の形態における封印ヘッドガードの斜視図である。
【図１４】本実施の形態における封印ヘッドガードの裏面側を示す斜視図である。
【図１５】図９に係る封印ヘッドガードの係合点をＢ方向から見た断面図である。
【図１６】（ａ）は図３に係る主制御基板ケースの内部をＡ方向から見た断面図、（ｂ）は図１３（ａ）における封印ヘッドが切断された状態を示す断面図である。
【図１７】主制御基板の裏面側に取り付けられた封印ヘッドガードを示す斜視図である。
【符号の説明】
【００８８】
１  パチンコ遊技機（遊技機）
２ａ  遊技盤
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
５０  制御基板ケース
７０  封印部材
７０ａ，７０ｂ，７０ｃ，７０ｄ  封印部
７０ｅ  本体部
７０ｆ  ネジ孔
７０ｈ  封印ヘッド
７０ｉ  係止片
７０ｊ  ストッパ
７０ｋ  開口部
７０ｌ  引き千切り部
７０ｍ  屈曲部
７０ｎ  嵌合ヘッド
８０  封印ヘッドガード（保持部材）
８０ｂ  区画壁
８０ａ，８０ｃ  係合爪
８０ｄ，８０ｅ，８０ｆ，８０ｇ  空間
１００  主制御基板ケース（基板ケース）
１１０  上蓋（第１の基板ケース）
１１０ａ  嵌合孔
１１０ｂ  ネジ孔
１１０ｃ  コネクタ孔
１１０ｄ  係合爪
１１０ｅ  切り欠き
１２０  ケース本体（第２の基板ケース）
１２０ａ  挿入孔
１２０ｂ，１２０ｃ  係止部
１２０ｄ  嵌め込み部
１３０  主制御基板
１３０ａ  コネクタ部
１３０ｂ  ＣＰＵソケット
１５０  電源基板
１７０  払出制御基板ケース（基板ケース）
１８０  枠中継基板
４００  貯留タンク
【図１】
2006204829.tif 000003
【図２】
2006204829.tif 000004
【図３】
2006204829.tif 000005
【図４】
2006204829.tif 000006
【図５】
2006204829.tif 000007
【図６】
2006204829.tif 000008
【図７】
2006204829.tif 000009
【図８】
2006204829.tif 000010
【図９】
2006204829.tif 000011
【図１０】
2006204829.tif 000012
【図１１】
2006204829.tif 000013
【図１２】
2006204829.tif 000014
【図１３】
2006204829.tif 000015
【図１４】
2006204829.tif 000016
【図１５】
2006204829.tif 000017
【図１６】
2006204829.tif 000018
【図１７】
2006204829.tif 000019